(57)【要約】【課題】電気的に良好な接触を図る。【解決手段】遊技盤３５が遊技機枠１の方に押されると、遊技盤３５が枠側ヒンジ２３と盤側ヒンジ４３とを回転中心として矢印Ｘで示すように遊技機枠１への移動に伴い、遊技主体ロック部材２５のロック操作体２６が遊技盤３５の取付部４５のロック挿入孔４６に後側から挿入されて前側に突出するとともに、スプリングコネクタ２４のコネクタピン７８が保護体４２のコネクタピン挿入孔８４に個別に挿入されて可撓性配線の電極８１と個別に接触し、ロック操作体２６がロック挿入孔４６から前側に突出して取付部４５に係合される過程において、コネクタピン７８が電極８１で押され、コネクタピン７８と電極８１とがコネクタボディ７５に内蔵されたコイルスプリングからの弾性で互いに押し付け合って接触する。【選択図】図１
2005177363.tif 000002
【特許請求の範囲】
【請求項１】
コネクタ設置構造体に設けられたスプリングコネクタのコネクタピンと電極設置構造体に設けられた電極とが互いに接続される電気接続装置において、電極設置構造体に当該電極を被覆する電気絶縁材からなる保護体を設け、この保護体にはコネクタピンを挿入して電極に接触させるコネクタピン挿入孔がコネクタピンと対応する個数設けられたことを特徴とする電気接続装置。
【請求項２】
コネクタ設置構造体がパチンコ機の遊技機枠または遊技盤の一方であって、電極設置構造体がパチンコ機の遊技機枠または遊技盤の他方であることを特徴する請求項１記載の電気接続装置。
【請求項３】
コネクタピン挿入孔が保護体のコネクタ設置構造体の側に位置する面から保護体のスプリングコネクタと対向する側の面に行くにしたがって徐々に孔径が大きくなる斜孔に形成されたことを特徴とする請求項１記載の電気接続装置。
【請求項４】
保護体が電極と対向する側の面に異物除去溝をコネクタピン挿入孔と連なる形態に備えたことを特徴とする請求項１記載の電気接続装置。
【発明の詳細な説明】
【技術分野】
【０００１】
本発明は、電気的に良好な接触を図る電気接続装置に関する。
【背景技術】
【０００２】
電気接続装置には、次のような構造が知られている。それは、コネクタ設置構造体に設けられたスプリングコネクタのコネクタボディから突出した電極であるコネクタピンを、電極設置構造体に設けられた電極に、コネクタボディに内蔵されたばねによる弾性下で接触する構造である。しかしながら、電極設置構造体における電極が、電極設置構造体から露出した未被覆な形態であるので、スプリングコネクタと電極とを接続する作業時に、作業者が電極設置構造体から露出した電極に手を触れてしまうことがあり、当該電極に手が触れると、人の油が電極に付着し、コネクタピンと電極との間での電気の伝達が悪くなるという欠点がある。
【特許文献１】特開２００２−３６８１４８号公報
【発明の開示】
【発明が解決しようとする課題】
【０００３】
発明が解決しようとする問題点は、電極設置構造体に設けられた電極が人の接触から保護されていないという点である。
【課題を解決するための手段】
【０００４】
本発明の電気接続装置は、コネクタ設置構造体に設けられたスプリングコネクタのコネクタピンと電極設置構造体に設けられた電極とが互いに接続される電気接続装置において、電極設置構造体に当該電極を被覆する電気絶縁材からなる保護体を設け、この保護体にはコネクタピンを挿入して電極に接触させるコネクタピン挿入孔がコネクタピンと対応する個数設けられたり、または、コネクタ設置構造体がパチンコ機の遊技機枠または遊技盤一方であって、電極設置構造体がパチンコ機の遊技機枠または遊技盤の他方であったりすることを最も主要な特徴とする。コネクタピン挿入孔が保護体のコネクタ設置構造体の側に位置する面から保護体のスプリングコネクタと対向する側の面に行くにしたがって徐々に孔径が大きくなる斜孔に形成されたり、保護体が電極と対向する側の面に異物除去溝をコネクタピン挿入孔と連なる形態に備えたりすることも特徴とする。
【発明の効果】
【０００５】
本発明の電気接続装置は、スプリングコネクタのコネクタピンと接触する相手側である電極が、電極設置構造体に取り付けられた電気絶縁材からなる保護体で被覆されているので、電極が人の接触から保護され、コネクタピンと電極との間での電気の伝達が良好となるという利点があり、保護体には、コネクタピンの挿入を許容するコネクタピン挿入孔がコネクタピンと対応する個数設けられているので、コネクタピンが１対１の関係でコネクタピン挿入孔を個別に経由して電極に個別に接触するという利点がある。コネクタピン挿入孔が保護体のコネクタ設置構造体の側に位置する面から保護体のスプリングコネクタと対向する側の面に行くにしたがって徐々に孔径が大きくなる斜孔に形成されれば、コネクタ設置構造体と電極設置構造体とが互いにヒンジで回転可能に取り付けられる構造であっても、コネクタピンがコネクタピン挿入孔を囲む保護体と接触することなくコネクタピン挿入孔に取り込まれて電極と接触することができるという利点がある。保護体が電極と対向する側の面に異物除去溝をコネクタピン挿入孔と連なる形態に備えれば、コネクタピン挿入孔に侵入した塵を異物除去溝を利用して保護体の外部に吹き飛ばして取除くことができ、塵によるコネクタピンと電極との接触不良を防止することができるという利点がある。
【発明を実施するための最良の形態】
【０００６】
図１−図５は、電気接続装置をパチンコ機に適用した一実施形態である。図１は、電気接続装置の作用を模式的に示す。図２は、電気接続装置を分解して示す。図３は、電気接続装置の内部構造を示す。図４は、遊技機枠１と遊技盤３５とを分解して示す。図５は、パチンコ機の電気系統を示す。
【０００７】
図４を参照し、電気接続装置を備えたパチンコ機の構造について説明する。パチンコ機の遊技機枠１は、固定枠２を備える。固定枠２は、パチンコ店の図外の遊技機設置構造体に取り付けるための外枠と呼ばれるものであって、前後方向に開放された縦長な長方形の空間を囲む額縁形状である。固定枠２には、前枠または中枠と呼ばれる可動枠３が、左側のヒンジ４で前側横方向に片開き可能にかつ着脱可能（交換可能）に取り付けられる。可動枠３は、前後方向に開放された縦長な長方形の空間を囲む額縁形状の可動枠本体５と、可動枠本体５から内部に延設された遊技主体収納構造体６とを備える。可動枠本体５には、パネル枠７および球皿構造体８が左側に設けられるヒンジ９で前側横方向に片開き可能に取り付けられる。パネル枠７は、前後方向に開放された窓１０を囲む額縁形状である。パネル枠７の裏面には、ガラスまたは合成樹脂からなる光透過性を有する前面パネル１１が、窓１０を覆う格好で取り付けられる。
【０００８】
可動枠本体５の右縦片には施錠装置１２と複数のロック機構１３；１４およびロック解除操作体１５が設けられる。可動枠３やパネル枠７および球皿構造体８が閉じられてロック機構１３；１４で開閉不能に支持された状態において、遊技店の店員が図外のキープレート（鍵）を遊技機枠１の前側から施錠装置１２の鍵穴１６に挿入し、当該キープレートを例えば右側に９０度回転操作すると、固定枠２と可動枠３とのロック機構１３による支持形態が解除される。この支持形態の解除後に、店員が可動枠３を前側に引くことによって、可動枠３はヒンジ４を回転中心として前側に片開きされる。また、上記施錠装置１２の鍵穴１６に挿入されたキープレートが例えば左側に９０度回転操作されると、可動枠３とパネル枠７とのロック機構１３による支持形態が解除される。この支持形態の解除後に、店員がパネル枠７を前側に引くことによって、パネル枠７はヒンジ９を回転中心として前側に片開きされる。このように、パネル枠７が前側に開かれた状態において、店員が可動枠３の前面に設けられたロック解除操作体１５を操作すると、可動枠３と球皿構造体８とのロック機構１４による支持形態が解除される。この支持形態の解除後に、店員が球皿構造体８を前側に引くことによって、球皿構造体８はヒンジ９を回転中心として前側に片開きされる。球皿構造体８の前面には、球収納部１７および発射操作機構１８を備える。球収納部１７は、遊技に使用する球を受ける上方に開放された形態である。球皿構造体８の裏面には、前横樋３１から球を球収納部１７に供給する球取入口１９と、球収納部１７から発射機構２８に球を供給する球供給口２０とを備える。
【０００９】
遊技主体収納構造体６は、前側に開放された遊技主体収納室２１と、遊技主体収納室２１の立壁に前後方向に貫通する中央開口部２２とを備える。遊技主体収納室２１の左側部には、遊技盤３５を取り付ける枠側ヒンジ２３およびスプリングコネクタ２４を備える。枠側ヒンジ２３は、遊技主体収納室２１の左側部に固定的に取り付けられたヒンジ躯体の前側に折り曲げられた支持部から上方に突出したヒンジピンを備えた構造である。遊技主体収納室２１の右側部には、遊技主体ロック部材２５を備える。遊技主体ロック部材２５は、遊技主体収納構造体６から前側に突出する円筒状の台座の中心にロック操作体２６を回転可能に備える。ロック操作体２６は、台座から前側に突出した操作軸の端部に固定された横長な形態である。遊技主体収納構造体６における遊技主体収納室２１よりも下部における前面には、発射機構２８、発射レール２９、ファール球取入口部３０、前横樋３１を備える。発射レール２９は、球皿構造体８の球供給口２０から供給された１個の球を受け取る。発射機構２８は、電力供給と遮断とを交互に受けることによって、球収納部１７から発射レール２９に供給された１個の球を遊技盤３５の遊技領域に向けて発射する。発射レール２９は、発射機構２８から発射された球を、遊技盤３５における発射通路の入口に誘導する。ファール球取入口部３０は、遊技盤３５の発射通路から落下する球を取り込む。ファール球取入口部３０に取り込まれた球は、前横樋３１を経由して球取入口１９に排出される。前横樋３１は、可動枠３の裏部に取り付けられた払出機構から払い出された球を球取入口１９に排出する。可動枠３の裏部には、タンクを備える。タンクは、遊技機設置構造体の補給系統から供給された球を貯蔵し、貯蔵した球を払出機構の球払出動作に伴い払出機構に供給する部品である。
【００１０】
パチンコ機の遊技盤３５は、裏面に、セット板と呼ばれる部品取付構造体３６を備える。部品取付構造体３６は、遊技盤３５の前面のガイドレールで囲まれた内側の遊技領域に設けられた入賞部品に取り込まれた後に当該入賞部品から遊技盤３５の裏側に排出された球を、下方に誘導して排出する。遊技盤３５の裏側には、遊技盤３５の前面に設けられた遊技部品の裏機構が、遊技盤３５に形成された図外の逃孔や部品取付構造体３６に形成された逃孔３７を経由して突出する。遊技盤３５の裏側に突出した裏機構を有する遊技部品は、複数の図柄表示器３８；３９、可動部品４０、図外の複数の入賞部品、図外のサイドランプなどである。図柄表示器３８は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置５５を備える。図柄表示器３９は、遊技領域の右側下部に設けられ、複数の図柄の印刷された図柄表示体をステップモータで回転する構造であって、裏機構としてステップモータを備える。部品取付構造体３６の裏面には、可撓性配線４１と保護体４２と盤側ヒンジ４３と主制御装置５３および複合制御装置５４が設けられる。可撓性配線４１は、遊技盤３５に設けられた電気部品と遊技機枠１に設けられた電気部品とを接続する多数本の箔形状の電線が、可撓性を有する合成樹脂基板に付設された構造である。盤側ヒンジ４３は、遊技盤３５に固定的に取り付けられたヒンジ躯体の前側に折り曲げられた支持部から上方に突出したヒンジピンを備えた構造である。遊技盤３５の盤側ヒンジ４３と反対側の側部には、取付部４５を備える。取付部４５にはロック挿入孔４６を備える。そして、遊技盤３５の前面が前側に向けられ、遊技盤３５の盤側ヒンジ４３の設けられた片側が遊技機枠１の前側から遊技主体収納室２１に挿入され、盤側ヒンジ４３のヒンジ孔が枠側ヒンジ２３のヒンジピンに上方から挿入されると、遊技盤３５が遊技機枠１に盤側ヒンジ４３と枠側ヒンジ２３とを回転中心として回転可能に取り付けられる。その後、遊技盤３５が遊技機枠１の方に押されると、遊技主体ロック部材２５のロック操作体２６が遊技盤３５の取付部４５のロック挿入孔４６に後側から挿入されて前側に突出する。その状態において、作業者がロック操作体２６を例えば右方向に９０度回転操作すると、ロック操作体２６がロック挿入孔４６の周りにおける取付部４５と係合し、遊技盤３５が遊技主体収納室２１に取り付けられる。遊技盤３５が取り付けられた後、球皿構造体８およびパネル枠７が閉じられる。これによって、パチンコ機が構成される。このパチンコ機は、遊技盤３５が遊技機枠１の内部に格納され、遊技盤３５の前側がパネル枠７で覆われ、遊技盤３５の遊技領域が遊技機枠１の前側から前面パネル１１を通して視認し得る形態である。
【００１１】
図５を参照し、パチンコ機の電気系統について説明する。主制御装置５３と複合制御装置５４と図柄制御装置５５と払出制御装置５６および発射制御装置５７のそれぞれに格納されたマイクロコンピュータが電力供給を受けて起動し、図柄制御装置５５が画像制御信号で図柄表示器３８を駆動し、図柄表示器３８が図柄制御信号に対応する画像を表示する。主制御装置５３には、入力機器と出力機器とが配線で接続される。主制御装置５３の入力機器は、入賞球検出器５８である。入賞球検出器５８には、例えば、一般入賞球検出器、作動入賞球検出器、始動入賞球検出器、普通入賞球検出器、特別入賞球検出器などがある。主制御装置５３の出力機器は、部品駆動源５９と遊技店の管理を行うホールコンピュータ６０である。部品駆動源５９には、図４に示す可動部品４０の駆動源、図柄表示器３８のステップモータ、入賞部品における電動チューリップの駆動源、入賞部品における可変入賞部品の駆動源などがある。複合制御装置５４は、主制御装置５３と配線で接続される。複合制御装置５４には、表示灯６１やスピーカ６２などの出力機器が配線で接続される。表示灯６１は、遊技機枠１の前部または遊技盤３５の前部に設けられ、点灯、点滅、消灯で遊技演出を行う部品である。スピーカ６２は遊技機枠１に設けられて音で遊技演出を行う部品である。払出制御装置５６は、主制御装置５３と配線で接続される。払出制御装置５６には、払出機構の払い出される球を検出する払出球検出器６３と払出機構のタンクの側に球切れの発生があることを検出する球切れ検出器６４および払出機構の球皿構造体８の側に球が満タンであることを検出する満タン検出器６５などの入力機器と、払出機構の球を払い出す動作を行ったり停止したりする払出駆動源６６としての出力機器とが配線で接続される。発射制御装置５７は、払出制御装置５６と配線で接続される。発射制御装置５７には、発射操作機構１８の球の発射を停止するための発射停止検出器６７と発射操作機構１８への遊技者による操作量を可変抵抗値として出力する可変抵抗器６８および発射操作機構１８への遊技者の接触を検出する接触検出器６９などの入力機器と、発射機構２８の発射駆動源７０としての出力機器とが配線で接続される。
【００１２】
図２を参照し、電気接続装置を構成する部品について説明する。電気接続装置は、遊技主体収納構造体６、スプリングコネクタ２４、遊技盤３５、可撓性配線４１、保護体４２から構成される。スプリングコネクタ２４が遊技主体収納構造体６に設けられたことから、遊技主体収納構造体６がスプリングコネクタ２４を設けたコネクタ設置構造体である。可撓性配線４１が遊技盤３５に設けられたことから、遊技盤３５がスプリングコネクタ２４のコネクタピン７８と接続する相手側の電極８１を設けた電極設置構造体である。遊技主体収納構造体６は、コネクタボディ逃孔７１とねじ取付孔７２とを備える。コネクタボディ逃孔７１は、スプリングコネクタ２４と対応する個数であって、遊技主体収納構造体６から突出したリブ７３で囲まれた形態で、遊技主体収納構造体６の前後方向に貫通する。ねじ取付孔７２は、１つのコネクタボディ逃孔７１に対し上下に位置し、遊技主体収納構造体６の前後方向に貫通する。複数のスプリングコネクタ２４は、縦長な板状の回路基板７９に挿入実装された形態で、回路基板７９の表面に縦方向に互いに離された形態で設けられる。スプリングコネクタ２４は、電気絶縁材からなるコネクタボディ７５を備える。コネクタボディ７５は、コネクタボディ７５から突出した一対の取付足７６を備える。スプリングコネクタ２４が回路基板７９に実装されることによって、取付足７６が回路基板７９の表面に接触する。取付足７６は、貫通孔であるねじ挿入孔７７を備える。回路基板７９には、取付足７６のねじ挿入孔７７と対応する位置に、ねじ挿入孔８０を備える。可撓性配線４１は、可撓性を有する合成樹脂基板の表面に、スプリングコネクタ２４のコネクタピン７８と対応する個数のラウンドと呼ばれる電極８１を互いに離れた形態に備える。各電極８１からは合成樹脂基板の表面に付設された多数本の箔形状の電線８２が個別に延設される。電線８２の表面は、レジスト膜のような電気絶縁材で被覆され、人の接触から保護される。保護体４２は、電気絶縁材からなる縦長な板状である。保護体４２は、コネクタピン挿入孔８４とねじ挿入孔８５とを備える。
【００１３】
コネクタピン挿入孔８４は、スプリングコネクタ２４のコネクタボディ７５から突出したコネクタピン７８を挿入して電極８１に接触させる孔であって、保護体４２の前後方向に貫通する。コネクタピン挿入孔８４は、保護体４２の部品取付構造体３６の側に位置する面から保護体４２のスプリングコネクタ２４と対向する側の面に行くにしたがって徐々に孔径が大きくなるすり鉢形状の斜孔として形成される。コネクタピン挿入孔８４は、可撓性配線４１の電極８１と対応する個数である。ねじ挿入孔８５は、保護体４２を遊技盤３５に取り付ける止ねじ８６を挿入する孔であって、保護体４２の前後方向に貫通する。保護体４２の厚さが厚ければ厚いほど、電極８１を人の接触から保護することができ、コネクタピン挿入孔８４における保護体４２のスプリングコネクタ２４と対向する側の面での口径が小さければ小さいほど、電極８１を人の接触から保護することができるが、本実施形態では、保護体４２の厚さとコネクタピン挿入孔８４における保護体４２のスプリングコネクタ２４と対向する側の面での口径とは、人の指がコネクタピン挿入孔８４における保護体４２のスプリングコネクタ２４と対向する側の面に押し付けられて、指の表面の一部が保護体４２の表面からコネクタピン挿入孔８４に突出しても、当該コネクタピン挿入孔８４に突出した指の表面の一部が電極８１に触れない寸法に設定されている。
【００１４】
保護体４２の可撓性配線４１と対向する側の面には、異物除去溝８８が、保護体４２の内部に窪む形状に設けられる。異物除去溝８８は、保護体４２の可撓性配線４１と対向する側の面と、保護体４２の左右側面とに開口する。異物除去溝８８の底面には、コネクタピン挿入孔８４が開口する。つまり、保護体４２が図３に示すように可撓性配線４１を覆う格好で遊技盤３５に取り付けられた場合、異物除去溝８８は、電極８１と個別に対応した配置となる。
【００１５】
図３を参照し、電気接続装置における遊技主体収納構造体６とスプリングコネクタ２４との組立構造、電気接続装置における遊技盤３５と可撓性配線４１と保護体４２との組立構造について説明する。遊技主体収納構造体６とスプリングコネクタ２４との組立構造は、回路基板７９に実装されたスプリングコネクタ２４のコネクタボディ７５が遊技主体収納構造体６の裏側からコネクタボディ逃孔７１に挿入されることによって、取付足７６のねじ挿入孔７７が遊技主体収納構造体６のねじ取付孔７２と同軸となる。そして、タッピングスクリューのような止ねじ８７が、回路基板７９のねじ挿入孔８０から取付足７６のねじ挿入孔７７を経由して遊技主体収納構造体６のねじ取付孔７２に締結されることによって、スプリングコネクタ２４が遊技主体収納構造体６に取り付られ、コネクタピン７８がコネクタボディ逃孔７１より突出した形態となる。
【００１６】
スプリングコネクタ２４の内部構造は、周知であるが、次のようになっている。コネクタボディ７５は、コネクタピン７８と端子９０およびコイルスプリング８３を備える。コネクタピン７８は、コネクタボディ７５の外側とコネクタボディ７５の内部に形成された収納空間部９１とにわたり移動可能に挿入される。コネクタピン７８は、収納空間部９１に挿入された中間部に、鍔９２を備える。端子９０は、コネクタボディ７５に固定的に設けられる。端子９０のコネクタボディ７５から外側に突出した部分が回路基板７９および回路基板７９の箔状の電極９３を貫通し、電極９３よりも外側に突出した端子９０の部分と回路基板７９の電極９３とが半田９４で接続されることによって、スプリングコネクタ２４が回路基板７９に挿入実装される。コネクタボディ７５の収納空間部９１に収納された導電性の有るコイルスプリング８３の一端がコネクタピン７８の鍔９２に接触し、コイルスプリング８３の他端が端子９０に接触した形態であって、コイルスプリング８３がコネクタピン７８をコネクタボディ７５から突出する方向にコイルスプリング８３の弾性で押し、鍔９２がコネクタボディ７５に形成されたコネクタピン挿入孔９６の周りのコネクタボディ７５に接触し、コネクタピン７８のコネクタボディ７５からの突出量が規制された構造である。
【００１７】
遊技盤３５と可撓性配線４１と保護体４２との組立構造は、保護体４２が可撓性配線４１の電極８１を被覆する格好で、部品取付構造体３６に重ね合わせられる。そして、タッピングスクリューのような止ねじ８６が、保護体４２に形成されたねじ挿入孔８５から部品取付構造体３６に形成されたねじ挿入孔８９を経由して遊技盤３５に締結されることによって、部品取付構造体３６に取り付けられる。このように、保護体４２が遊技盤３５に取り付けられることによって、コネクタピン挿入孔８４の内部には、可撓性配線４１の電極８１が露出する。
【００１８】
図１を参照し、遊技盤３５が遊技機枠１に取り付けられることによって、電気接続装置における遊技機枠１の側のコネクタピン７８と遊技盤３５の側の電極８１とが互いに接続される場合について説明する。図１のａ図に示すように、枠側ヒンジ２３と盤側ヒンジ４３とが互いに嵌め合わされることによって、遊技盤３５が遊技機枠１に取り付けられる。そして、遊技盤３５が遊技機枠１の方に押されると、遊技盤３５が枠側ヒンジ２３と盤側ヒンジ４３とを回転中心として矢印Ｘで示すように遊技機枠１の方に移動する。図１のｂ図に示すように、上記遊技盤３５の移動に伴い、遊技主体ロック部材２５のロック操作体２６が遊技盤３５の取付部４５のロック挿入孔４６に後側から挿入されて前側に突出するとともに、スプリングコネクタ２４のコネクタピン７８が保護体４２のコネクタピン挿入孔８４に個別に挿入されて可撓性配線４１の電極８１と個別に接触する。その後、作業者がロック操作体２６を回転操作してロック操作体２６をロック挿入孔４６の周りにおける取付部４５と係合させることによって、遊技盤３５が遊技主体収納室２１に取り付けられる。このように、ロック操作体２６がロック挿入孔４６から前側に突出して取付部４５に係合される過程において、コネクタピン７８が電極８１で押され、図３に示す鍔９２がコネクタボディ７５から離れて図３に示す端子９０の側に移動し、コイルスプリング８３が鍔９２と端子９０との間で圧縮される。つまり、枠側ヒンジ２３と盤側ヒンジ４３との嵌合、ロック操作体２６と取付部４５との係合によって、遊技盤３５が遊技機枠１に取り付けられた状態において、遊技機枠１の側に位置するコネクタピン７８と遊技盤３５の側に位置する電極８１とが、コイルスプリング８３からの弾性で、互いに押し付け合って接触している。
【００１９】
実施形態によれば、スプリングコネクタ２４のコネクタピン７８と接触する相手側である電極８１が、電極８１の設けられた遊技盤３５に取り付けられた電気絶縁材からなる保護体４２で被覆されているので、電極８１が人の接触から保護され、コネクタピン７８と電極８１との間での電気の伝達が良好となるという利点がある。保護体４２には、コネクタピン７８の挿入を許容するコネクタピン挿入孔８４がコネクタピン７８と対応する個数設けられているので、コネクタピン７８が１対１の関係でコネクタピン挿入孔８４を個別に経由して電極８１に個別に接触するという利点がある。コネクタピン挿入孔８４が保護体４２の部品取付構造体３６の側に位置する面から保護体４２のスプリングコネクタ２４と対向する側の面に行くにしたがって徐々に孔径が大きくなる斜孔になっているので、スプリングコネクタ２４の設けられるコネクタ設置構造体としての遊技機枠１と電極８１の設けられる電極設置構造体としての遊技盤３５とが、互いに、枠側ヒンジ２３と盤側ヒンジ４３とからなるヒンジで回転可能に取り付けられる構造であっても、コネクタピン７８が、コネクタピン挿入孔８４を囲む保護体４２と接触することなく、コネクタピン挿入孔８４に取り込まれて電極８１と接触することができるという利点がある。塵が保護体４２の外側からコネクタピン挿入孔８４に侵入した場合、当該塵がコネクタピン７８と電極８１との接触不良を引き起こす原因となる。けれども、実施形態によれば、異物除去溝８８が、コネクタピン挿入孔８４のそれぞれと連接する格好で、保護体４２の可撓性配線４１と対向する側の面に設けられたので、上記コネクタピン挿入孔８４への塵の侵入が発生した場合、作業者が携帯缶の内部に空気の加圧注入された空気洗浄器を携帯し、空気洗浄器のノズルを異物除去溝８８の近くに配置し、空気洗浄器の押釦を押圧操作する。これによって、空気洗浄器の加圧空気がノズルから異物除去溝８８に噴射され、上記侵入した塵をコネクタピン挿入孔８４から保護体４２の外部に吹き飛ばすことができる。つまり、コネクタピン挿入孔８４に侵入した塵を異物除去溝８８を利用して保護体４２の外部に取除くことができ、塵によるコネクタピン７８と電極８１との接触不良を防止することができるという利点がある。
【産業上の利用可能性】
【００２０】
スプリングコネクタ２４の設けられたコネクタ設置構造体である遊技機枠１と電極８１の設けられた電極設置構造体である遊技盤３５とが、枠側ヒンジ２３と盤側ヒンジ４３とからなるヒンジで回転可能に取り付けられていない構造であってもよい。コネクタ設置構造体が遊技盤３５であって、電極設置構造体が遊技機枠１であってもよい。電気接続装置が設けられる物品は、パチンコ機以外でもよい。
【図面の簡単な説明】
【００２１】
【図１】電気接続装置を示す模式図（一実施形態）。
【図２】電気接続装置を示す分解斜視図（一実施形態）。
【図３】電気接続装置の内部構造を示す一部破断側面図（一実施形態）。
【図４】遊技機枠と遊技盤とを示す分解斜視図（一実施形態）。
【図５】パチンコ機の電気系統を示すブロック図（一実施形態）。
【符号の説明】
【００２２】
１    遊技機枠
２３  枠側ヒンジ
２４  スプリングコネクタ
３５  遊技盤
４２  保護体
７８  コネクタピン
８０  ねじ挿入孔
８１  電極
【図１】
2005177363.tif 000003
【図２】
2005177363.tif 000004
【図３】
2005177363.tif 000005
【図４】
2005177363.tif 000006
【図５】
2005177363.tif 000007